(57)【要約】      （修正有）【課題】一種のボイスコイルモータの板バネ構造であり、強力平衡構造を有し、弾性が良好で、横向き傾斜の問題を有効に解決でき、回復速度を増すことができる。【解決手段】板バネにそれぞれが偶数回折り曲げられている形状が同じ四つのみぞが設けられ、並びに相互に各湾曲セクションが平行に対応し、即ち二つずつが交錯するよう該板バネに配置され、これによりこれら溝の内側に活動部が形成され、外側に固定部が形成され、溝がまた４本の３段線形の弾力折り曲げ部を形成し、外力を受ける時、上下が折れ曲がり移動し、外力が消失する時原状に回復し、本考案は該４本の３段の線形の弾力折り曲げ部を利用して活動部の移動と回復の速度を上げ、且つ有効に横向き傾斜の問題を解決する。【選択図】図４
0003119090.tif 000002
【実用新案登録請求の範囲】
【請求項１】
平板を包含し、該平板が中央孔と、該中央孔の周囲を囲むよう設けられた第１溝、第２溝、第３溝、第４溝を具え、該第２溝と該第４溝の両端がそれぞれ該第１溝と該第３溝の中央位置に位置し、該第１溝と該第３溝の両端がそれぞれ該第２溝と該第４溝の中央位置に位置し、四周に分布する４本の弾力折り曲げ部を形成したことを特徴とする、ボイスコイルモータの板バネ。
【請求項２】
請求項１記載のボイスコイルモータの板バネにおいて、該第１溝、第２溝、第３溝及び第４溝の形状が同じとされたことを特徴とする、ボイスコイルモータの板バネ。
【請求項３】
請求項１記載のボイスコイルモータの板バネにおいて、該第１溝、第２溝、第３溝及び第４溝は折り曲げにより三段線形の弾力折り曲げ部を形成することを特徴とする、ボイスコイルモータの板バネ。
【請求項４】
請求項３記載のボイスコイルモータの板バネにおいて、該第１溝、第２溝、第３溝及び第４溝は各折り曲げセクションが平行に対応することを特徴とする、ボイスコイルモータの板バネ。
【請求項５】
請求項１記載のボイスコイルモータの板バネにおいて、前記中央孔は円形とされたことを特徴とする、ボイスコイルモータの板バネ。
【請求項６】
請求項１記載のボイスコイルモータの板バネにおいて、これらの溝の内側に活動部が形成され、外側に固定部が形成されたことを特徴とする、ボイスコイルモータの板バネ。
【請求項７】
請求項６記載のボイスコイルモータの板バネにおいて、前記活動部が外力を受ける時、前記弾力折り曲げ部の弾性湾曲により上下移動を発生し、外力が消失した時に原状に回復することを特徴とする、ボイスコイルモータの板バネ。
【考案の詳細な説明】
【技術分野】
【０００１】
本考案はボイスコイルモータの板バネに係り、特に、ボイスコイルモータ（ＶＣＭ）中に使用される板バネであって、移動距離が大きく、弾性が良好で、ボイスコイルモータの駆動及び復原を加速できる、ボイスコイルモータの板バネに関する。
【背景技術】
【０００２】
ボイスコイルモータ（ＶＣＭ）は体積が小さく、使用電力が少なく、移動の駆動が正確で価格が低廉である等の長所を有し、電子製品中の短距離アクチュエーター、例えば携帯電話の振動モータ、磁気ヘッド／光ピックアップの上下移動アクチュエータ、カメラオートフォーカスアクチュエータなどに適合する。しかしボイスコイルモータ（ＶＣＭ）の駆動／復原変化速度は、電子製品の動作の数ミリ秒の変化速度に較べると緩慢であり、このため、ボイスコイルモータ（ＶＣＭ）には通常、少なくとも一つの板バネが加えられて駆動／復原の変化速度を加速している。
【０００３】
図１はカメラオートフォーカス（ＡＦ）に使用される伝統的なボイスコイルモータ（ＶＣＭ）の分解図である。該ボイスコイルモータは、トップカバー１００、ボトムカバー１０５及び外フレーム１１０を包含し、外フレーム１１０内の四周側にそれぞれ磁石１１５、レンズホルダ１２０が設けられ、レンズホルダ１２０内側にネジ山が設けられ、レンズ１２５をねじ込んで支持することができ、レンズホルダ１２０に二つのコイル１２６が固定され、該レンズホルダ１２０は外フレーム１１０内の四つの磁石１１５の中心において活動可能であり、並びに該二つのコイル２６の通電により発生する磁場極性と該四つの磁石１１５が相互に反発或いは吸引し、該レンズホルダ１２０を駆動する。該レンズホルダ１２０は、上下それぞれ一つの板バネ１３０により該四つの磁石１１５の中心に支持され、これにより駆動が加速される。
【０００４】
図２は伝統的な板バネ１３０の平面図である。該板バネ１３０はその平面に２本の溝１３２が開設され、且つこの溝はそれぞれＵ形状を呈し、並びにＵ形状の開口が対向するよう互い違いに該板バネ１３０に配置され、外泡の固定部１３４と内側の活動部１３６を形成し、該外側の固定部１３４は外フレーム１１０の上下端に固定され、該内側の活動部１３６は該レンズホルダ１２０に固定される。
【０００５】
図３は伝統的な板バネを使用したボイスコイルモータの駆動状態断面図である。コイル１２６に通電して発生した磁場と該磁石１１５が相互に排斥或いは吸引する時、レンズホルダ１２０が駆動され上下に作動し、該板バネ１３０の活動部５が該２本の溝１３２により二組の弾力折り曲げ部を形成し、外力が消失する時、該弾力折り曲げ部に蓄積された弾力により原状に回復する。この２本の溝１３２は単一の可動セクションであり、ゆえに外力を加える時、比較的大きな力が必要であり、且つ外力を受けて偏移して横向き傾斜を発生しやすくこのため弾性が制限を受け、回復速度も緩慢となる。
【考案の開示】
【考案が解決しようとする課題】
【０００６】
ゆえに、上述の従来のボイスコイルモータ中に使用されている板バネの欠点を解決するため、本考案は一種の新規な板バネの構造を提供し、それは板バネの弾力平衡構造を強化し、有効に横向き傾斜問題を解決し、回復速度を増した、合理的設計の構造であるものとする。
【０００７】
即ち、本考案の主要な目的は、一種のボイスコイルモータの板バネを提供することにあり、それは、弾力平衡構造を有し、弾性が良好で、横向き傾斜の問題を有効に解決でき、回復速度を増すものとする。
【０００８】
上述の目的を達成するため、本考案のボイスコイルモータの板バネは、平板を具え、該平板は中央孔を具え、これにより板バネがボイスコイルモータの活動部に嵌着されうるものとされる。該平板の中央孔の周囲に第１溝、第２溝、第３溝及び第４溝が設けられ、該第２溝と該第４溝の両端が、該第１溝と該第３溝の中央位置に位置し、該第１溝と該第３溝の両端がそれぞれ第２溝と第４溝の中央位置に位置し、即ち二つずつが交錯するように該平板に配置される。そのうち、該第１溝、第２溝、第３溝、第４溝の形状は同じで、且つ各溝が偶数回折り曲げられ、並びに相互に各湾曲セクションが平行に対応する。上述の構造の溝により４組の３段線形の弾力折り曲げ部が形成され、板バネがこれにより弾力構造の平衡、良好な弾性、急速回復の効果を達成するものとされる。
【課題を解決するための手段】
【０００９】
請求項１の考案は、平板を包含し、該平板が中央孔と、該中央孔の周囲を囲むよう設けられた第１溝、第２溝、第３溝、第４溝を具え、該第２溝と該第４溝の両端がそれぞれ該第１溝と該第３溝の中央位置に位置し、該第１溝と該第３溝の両端がそれぞれ該第２溝と該第４溝の中央位置に位置し、四周に分布する４本の弾力折り曲げ部を形成したことを特徴とする、ボイスコイルモータの板バネとしている。
請求項２の考案は、請求項１記載のボイスコイルモータの板バネにおいて、該第１溝、第２溝、第３溝及び第４溝の形状が同じとされたことを特徴とする、ボイスコイルモータの板バネとしている。
請求項３の考案は、請求項１記載のボイスコイルモータの板バネにおいて、該第１溝、第２溝、第３溝及び第４溝は折り曲げにより三段線形の弾力折り曲げ部を形成することを特徴とする、ボイスコイルモータの板バネとしている。
請求項４の考案は、請求項３記載のボイスコイルモータの板バネにおいて、該第１溝、第２溝、第３溝及び第４溝は各折り曲げセクションが平行に対応することを特徴とする、ボイスコイルモータの板バネとしている。
請求項５の考案は、請求項１記載のボイスコイルモータの板バネにおいて、前記中央孔は円形とされたことを特徴とする、ボイスコイルモータの板バネとしている。
請求項６の考案は、請求項１記載のボイスコイルモータの板バネにおいて、これらの溝の内側に活動部が形成され、外側に固定部が形成されたことを特徴とする、ボイスコイルモータの板バネとしている。
請求項７の考案は、請求項６記載のボイスコイルモータの板バネにおいて、前記活動部が外力を受ける時、前記弾力折り曲げ部の弾性湾曲により上下移動を発生し、外力が消失した時に原状に回復することを特徴とする、ボイスコイルモータの板バネとしている。
【考案の効果】
【００１０】
総合すると、本考案は各溝の形状が同じで、且つ相互に形成する３段線形折り曲げセクションを利用し、並びに各折り曲げセクションが平行に対応し、弾力平衡の構造、良好な弾性、急速な回復の効果を達成する。これにより本考案は確実にその目的を達成し、周知の技術とは異なる設計を提供し、全体の使用価値を高め、またその構造はその出願前に未公開であり、特許の要件を具備するものである。なお、以下の実施例は本考案の範囲を制限するものではない。
【考案を実施するための最良の形態】
【００１１】
図４は本考案のボイスコイルモータの板バネの平面図である。本考案の板バネは、矩形平板１０を包含し、該平板１０は中央孔１１と、該中央孔１１を囲むように中央孔１１の周囲に設けられた第１溝１２、第２溝１３、第３溝１４、及び第４溝１５を具え、該第２溝１３と第４溝１５の両端が該第１溝１２と第２溝１３の中央位置に位置し、該第１溝１２と第２溝１３の両端がそれぞれ該第２溝１３と第４溝１５の中央位置に位置する。
【００１２】
好ましくは、該第１溝１２、第２溝１３、第３溝１４、及び第４溝１５の形状は同じで、且つそれぞれに湾曲により４本の３段の線形の弾力折り曲げ部が形成され、並びに各折り曲げセクションが平行に対応し、即ち二つずつが交錯するように該平板１０に配置されている。
【００１３】
該平板１０の中央孔１１と該第１から第４溝との間に内側活動部１６が形成されて、該レンズホルダ１２０に固定され、該第１から第４溝の外側に外側固定部１７が形成され、該外フレーム１１０に固定され、通常、該板バネは該ボイスコイルモータ内部の該レンズホルダ１２０の上方或いは下方に固定可能である。
【００１４】
外力を受ける時、該平板１０の内側活動部１６は第１から第４溝が形成する４本の弾力折り曲げ部の受力湾曲により上下に移動し、外力が消失する時、この４本の弾力折り曲げ部の蓄積する弾力により原状に回復し、並びに該４本の弾力折り曲げ部は該内側活動部１６の四周に分布し、平衡活動可能である。
【００１５】
本考案は平板１０にあって偶数個の溝（第１〜第４溝１２、１３、１４、１５）を使用し、並びにこれらの溝が交互に重畳し、ゆえに平板１０の内側活動部１６と外側固定部１７の間に４本の３段弾力折り曲げ部が形成され、これにより弾力平衡の構造、良好な弾性、急速な回復の効果が達成される。
【図面の簡単な説明】
【００１６】
【図１】カメラオートフォーカス（ＡＦ）に使用される伝統的なボイスコイルモータ（ＶＣＭ）の分解図である。
【図２】伝統的な板バネの平面図である。
【図３】伝統的な板バネを使用したボイスコイルモータの駆動状態断面図である。
【図４】本考案のボイスコイルモータの板バネの平面図である。
【図５】本考案の板バネを使用したボイスコイルモータの駆動状態断面図である。
【符号の説明】
【００１７】
１００  トップカバー
１０５  ボトムカバー
１１０  外フレーム
１１５  磁石
１２０  レンズホルダ
１２５  レンズ
１２６  コイル
１３０  板バネ
１３２  溝
１３４  外側固定部
１３６  内側活動部
１０  平板
１１  中央孔
１２  第１溝
１３  第２溝
１４  第３溝
１５  第４溝
１６  内側活動部
１７  外側固定部
【図１】
0003119090.tif 000003
【図２】
0003119090.tif 000004
【図３】
0003119090.tif 000005
【図４】
0003119090.tif 000006
【図５】
0003119090.tif 000007